(57)【要約】【課題】  被検者の特性を年齢に相応した長期的な視点で診断可能な女性体温計を提供する。【解決手段】  測定された基礎体温データを、被検者の状態を示すメモ内容とともに、日付と対応付けて格納する格納手段を備える女性体温計における情報処理方法であって、前記被検者の生殖器活動の特性を診断するための指示が入力された場合に、前記被検者の年齢が、前記被検者の生殖器活動に応じて区分される複数の期間のうちの、いずれの期間に属するかを判定する判定工程（ステップＳ５０２）と、前記判定工程において判定した期間に応じて、前記格納された基礎体温データ及びメモ内容を用いて前記被検者の生殖器活動の特性として診断すべき診断内容を切り替える切替工程（ステップＳ５０３、Ｓ５０６〜Ｓ５０８）とを備えることを特徴とする。【選択図】  図５
2012125349.tif 000002
【特許請求の範囲】
【請求項１】
女性体温計であって、
被検者の生殖器活動の特性を診断するための指示を入力する入力手段と、
測定された基礎体温データを、前記被検者の状態を示すメモ内容とともに、日付と対応付けて格納する格納手段と、
前記入力手段により、前記特性を診断するための指示が入力された場合に、前記被検者の年齢が、前記被検者の生殖器活動に応じて区分される複数の期間のうちの、いずれの期間に属するかを判定する判定手段と、
前記判定手段において判定した期間に応じて、前記格納された基礎体温データ及びメモ内容を用いて前記被検者の生殖器活動の特性として診断すべき診断内容を切り替える切替手段と
を備えることを特徴とする女性体温計。
【請求項２】
前記切替手段は、
前記判定手段において、第１の期間に属すると判定された場合、前記格納手段に格納された所定月経周期分のメモ内容に基づいて、前記被検者の月経周期が安定したか否かを診断する第１の診断内容に切り替えることを特徴とする請求項１に記載の女性体温計。
【請求項３】
前記切替手段は、
前記判定手段において、第２の期間に属すると判定された場合、前記格納手段に格納されたメモ内容に基づいて、前記被検者が妊娠しているか否かを判定し、
妊娠していると判定された場合に、該判定が行われて以降に前記格納手段に格納された基礎体温データの中に、所定の閾値以上、低下した基礎体温データがないかを判断し、あると判断した場合に、流産リスクが高まったと診断する第２の診断内容に切り替えることを特徴とする請求項１に記載の女性体温計。
【請求項４】
前記切替手段は、
前記判定手段において、第２の期間に属すると判定された場合、前記格納手段に格納されたメモ内容に基づいて、前記被検者が妊娠しているか否かを判定し、
妊娠していないと判定された場合に、前記第２の期間内に測定され、前記格納手段に格納された所定月経周期分の基礎体温データを読み出し、月経周期内の基礎体温データの変化を示す近似曲線を算出した後、予め定義された複数の類型の基礎体温曲線のいずれの基礎体温曲線に類似しているかを診断する第３の診断内容に切り替えることを特徴とする請求項１に記載の女性体温計。
【請求項５】
前記切替手段は、
前記判定手段において、第３の期間に属すると判定された場合、前記第３の期間内に測定され、前記格納手段に格納された所定月経周期分のメモ内容に基づいて、前記被検者の月経周期が不規則になったか否かを診断する第４の診断内容に切り替えることを特徴とする請求項１に記載の女性体温計。
【請求項６】
測定された基礎体温データを、被検者の状態を示すメモ内容とともに、日付と対応付けて格納する格納手段を備える女性体温計の制御方法であって、
前記被検者の生殖器活動の特性を診断するための指示が入力された場合に、前記被検者の年齢が、前記被検者の生殖器活動に応じて区分される複数の期間のうちの、いずれの期間に属するかを判定する判定工程と、
前記判定工程において判定した期間に応じて、前記格納された基礎体温データ及びメモ内容を用いて前記被検者の生殖器活動の特性として診断すべき診断内容を切り替える切替工程と
を備えることを特徴とする女性体温計の制御方法。
【発明の詳細な説明】
【技術分野】
【０００１】
本発明は、女性体温計及びその制御方法に関するものである。
【背景技術】
【０００２】
女性の基礎体温は高温相と低温相とが周期的に変化する２相性を有しており、女性体温計はその基礎体温を測定するために利用される。被検者は当該女性体温計を用いて測定した基礎体温を記録し、トレンドグラフを作成・表示させることで、高温相と低温相の周期を知ることができる。
【０００３】
一般に、女性体温計には、作成されたトレンドグラフに基づいて、次回生理日や次回排卵日を予測する機能や、当該トレンドグラフと対応付けて日々の体調を入力するメモ入力機能といった各種機能が搭載されている。
【先行技術文献】
【特許文献】
【０００４】
【特許文献１】特開２００７−６８８３９号公報
【発明の概要】
【発明が解決しようとする課題】
【０００５】
一方で、女性体温計を用いて長期間にわたって蓄積されたデータ（継続的に測定された基礎体温や基礎体温と対応付けて蓄積されたメモ内容等）は、当該被検者の生殖器活動の特性を知るうえで重要なデータである。このため、これらのデータを、次回生理日や次回排卵日等といった短期的な予測情報の算出に用いるだけでなく、被検者の生殖器活動の特性といった長期的な視点からの診断に用いることができれば、女性体温計が被検者にとってより有意義な装置になるものと期待される。
【０００６】
一方で、被検者の生殖器活動は、年齢とともに変化していくのが一般的である。このため、長期的な視点からの診断を行う場合には、その診断時期によって診断内容も異なってくる。
【０００７】
本発明は、上記課題に鑑みてなされたものであり、被検者の特性を年齢に相応した長期的な視点で診断可能な女性体温計を提供することを目的とする。
【課題を解決するための手段】
【０００８】
上記の目的を達成するために、本発明に係る女性体温計は以下のような構成を備える。即ち、
女性体温計であって、
被検者の生殖器活動の特性を診断するための指示を入力する入力手段と、
測定された基礎体温データを、前記被検者の状態を示すメモ内容とともに、日付と対応付けて格納する格納手段と、
前記入力手段により、前記特性を診断するための指示が入力された場合に、前記被検者の年齢が、前記被検者の生殖器活動に応じて区分される複数の期間のうちの、いずれの期間に属するかを判定する判定手段と、
前記判定手段において判定した期間に応じて、前記格納された基礎体温データ及びメモ内容を用いて前記被検者の生殖器活動の特性として診断すべき診断内容を切り替える切替手段とを備えることを特徴とする。
【発明の効果】
【０００９】
本発明によれば、被検者の特性を年齢に相応した長期的な視点で診断可能な女性体温計を提供することが可能となる。
【図面の簡単な説明】
【００１０】
【図１】本発明の一実施形態に係る女性体温計の外観構成を示す図である。
【図２】女性体温計のシステム構成を示す図である。
【図３】女性体温計の表示部の表示内容を示す図である。
【図４】被検者の特性に関する診断機能の内容を示す図である。
【図５】被検者の特性に関する診断処理の流れを示すフローチャートである。
【図６】周期安定化診断処理の流れを示すフローチャートである。
【図７】妊娠判定処理及び流産リスク診断処理の流れを示すフローチャートである。
【図８】類型診断処理の流れを示すフローチャートである。
【図９】基礎体温曲線の類型を示す図である。
【図１０】不規則性診断処理の流れを示すフローチャートである。
【発明を実施するための形態】
【００１１】
以下、本発明の各実施形態について図面を参照しながら説明する。
【００１２】
［第１の実施形態］
１．女性体温計の外観構成
はじめに、本発明の一実施形態に係る女性体温計の外観構成について図１を用いて説明する。
【００１３】
図１において、１０１は耐衝撃性、耐薬品性を備えた合成樹脂によって形成された本体ケースであり、後述する演算制御部や、ブザー部、電池（電源部）等が収納されている。
【００１４】
１０２はステンレス製の金属キャップであり、内部にはサーミスタ（後述）等の温度計測部が接着剤により固定して収納されている（つまり、金属キャップ１０２は、サーミスタに対して体温（温度）を伝熱させるとともに、サーミスタを外部の衝撃等から保護する役割を担っている）。
【００１５】
１０３は表示部であり、数字・文字・図形（キャラクター、アイコン等）を表示可能な、ドットマトリックス液晶部等により構成されている。なお、表示部１０３に表示される表示内容の詳細は後述する。
【００１６】
本体ケース１０１上には、更に、表示部１０３上に表示された表示内容に基づいて、女性体温計１００に各種指示を入力するための入力ボタン（操作部）１０４が設けられている。
【００１７】
入力ボタン１０４は、表示部１０３上に表示されたメニュー項目等の選択対象が選択状態にあることを示す識別子（カーソル）を移動させるための指示（移動指示）を与える左ボタン１１１、右ボタン１１２を備える。また、カーソルの移動先の選択対象について、設定値を変更したりするための指示（変更指示）を与える上ボタン１２１、下ボタン１２２を備える。更に、カーソルの移動先の選択対象（またはカーソルの移動先の選択対象について、変更された設定値）を決定するための決定ボタン１３０を備える。なお、決定ボタン１３０は、女性体温計１００の電源ＯＮ／ＯＦＦスイッチとしての役割も担っている（決定ボタン１３０を長押しすることにより、電源がＯＮ状態またはＯＦＦ状態となる）。
【００１８】
さらに、図示しないが、女性体温計１００には、パーソナルコンピュータ（ＰＣ）などをホストとして接続するための外部通信部（コネクタ等を含む）も備えられている。また、定時測定を促すための目覚まし機能も備えられており、別途設定された時刻になると目覚まし音を鳴らしてユーザに体温測定を促すよう構成されている。
【００１９】
２．女性体温計のシステム構成
次に、女性体温計１００のシステム構成について図２を参照しながら説明する。図２は、女性体温計１００のシステム構成を示す図である。
【００２０】
図２に示すように、女性体温計１００は、温度を計測しそれをデジタル値として出力する温度計測部２１０と、計測された温度から予測温度を演算すると共に女性体温計１００全体を制御する演算制御部２２０と、測定結果を表示する、バックライト用のＬＥＤ２３１を備えた表示部２３０と、目覚まし音等の音声を出力するブザー部２４０と、ユーザからの操作を受け付ける入力部２５０と、各部に電源を供給する電源部２６０とを備える。
【００２１】
温度計測部２１０は、並列に接続された感温部に設置されたサーミスタ及びコンデンサと、測温用ＣＲ発振回路とから構成され、サーミスタの温度に対応するカウンタ２２６のカウント量の変化に従い、温度をデジタル量として出力する。なお、温度計測部２１０の構成は一例であって、これに限定されるものではない。
【００２２】
演算制御部２２０は、女性体温計１００全体の動作フローにおける判定制御を行うもので、１日１回の測定から得られた測定値（基礎体温データ）及び入力部２５０により入力された各種メモ内容を日付及び時刻と対応付けて所定日数分（例えば２０年分）記憶するとともに、月経周期ごと（生理初日から次の生理初日の前日まで）の中間データ等を一時記憶するＲＡＭ２２３と、体温測定処理に必要なパラメータや予測式プログラム等を格納したＲＯＭ（コンピュータ読取可能な記憶媒体）２２２と、時刻及び日付を管理するタイマ２２４とを備える。更に、表示部２３０を制御するための表示制御部２２７と、測温用ＣＲ発振回路の発振信号をカウントするカウンタ２２６と、ＲＯＭ２２２の予測式プログラムに従い予測演算等を行う演算処理部２２１とを備える。更に、カウンタ２２６や演算処理部２２１、表示制御部２２７を制御する制御回路２２５を備える。なお、測定値などを記憶する一時記憶領域には、不揮発性であって書き換え可能なメモリ等を用いるように構成してもよい。
【００２３】
入力部２５０には、上述した左ボタン１１１、右ボタン１１２、上ボタン１２１、下ボタン１２２、決定ボタン１３０などが含まれ、ユーザからの各種指示を受け付ける。
【００２４】
３．表示部の表示内容
次に、女性体温計１００の本体ケース１０１上に配された表示部１０３に表示される表示内容について説明する。図３は、女性体温計１００の本体ケース１０１上に配された表示部１０３に表示される表示内容の一例を示す図である。
【００２５】
図３において、３０１は女性体温計１００の各種機能を選択するための選択機能表示領域である。選択機能表示領域３０１に表示された各絵文字（アイコン）は、左から順に、メモ入力機能、次回生理日表示機能、次回排卵日表示機能、選択機能、目覚まし時刻設定機能、音量設定機能、時刻設定機能を選択するためのアイコンである。更に、本実施形態に係る女性体温計１００の場合、選択機能表示領域３０１には、当該アイコンに加え、被検者の特性を診断するための診断機能を選択するためのアイコンが配されている。
【００２６】
なお、被検者の特性を診断するための診断機能とは、測定された基礎体温と、メモ入力機能を用いて入力された各種メモ内容とを用いて、被検者の年齢に対応した、被検者の生殖器活動の特性を診断する機能である（詳細は後述）。
【００２７】
３０２はメモ入力機能が選択された際に、入力されるメモ内容を選択するための選択メモ表示領域である。選択メモ表示領域３０２に表示された各絵文字（アイコン）は、左から順に、生理、発熱を示すアイコンである（なお、メモ内容には、その他、生理痛、薬飲、性交、不正出血、おりもの等がある）。
【００２８】
３０３は測定データ表示領域であり、測定された基礎体温データを表示したり、過去の所定年数分の基礎体温データをトレンドグラフとして表示したりする。
【００２９】
３０４は設定情報表示領域であり、目覚まし時刻設定機能や音量設定機能等を用いてユーザが設定した設定内容を表示する。
【００３０】
３０５は現在日時表示領域であり、現在の日付（年月日）または時刻（時分）を表示する。３０６は内部状態表示領域であり、女性体温計１００の内部状態を示す情報（例えば、電池の残量等）を表示する。
【００３１】
３０７は状態表示領域であり、次回排卵日が近づいていること、次回生理日が近づいていること、ならびに、低温相期であること、をそれぞれ示すマークが表示される。
【００３２】
なお、女性体温計１００の各種機能（メモ入力機能、次回生理日表示機能、次回排卵日表示機能、目覚まし時刻設定機能、音量設定機能、時刻設定機能）の詳細については、例えば、上記特許文献１に既に開示されているため、ここでは説明を省略する。
【００３３】
４．被検者の特性に関する診断機能の概要
次に、選択機能表示領域３０１に表示された診断機能を選択するためのアイコンが選択されることで実行される、被検者の特性に関する診断機能の概要について図４を用いて説明する。本実施形態に係る女性体温計１００は、初潮から閉経までの長期間において利用されることを想定しており、それぞれの時期に応じて診断内容を切り替える切替機能を有する構成となっている。
【００３４】
具体的には、図４に示すように被検者の年齢に応じて、複数の期間（初期／中期／後期）に分け、初期においては、月経周期が安定したか否かの診断を行い、月経周期が安定し、かつ、所定の年齢（年齢１）に到達した後は、妊娠中でない場合にあっては、被検者の基礎体温曲線の類型の診断を行い、妊娠中においては、流産リスクの診断を行う。なお、ここでいう流産とは化学流産も含む。更に、所定の年齢（年齢２）に到達した後は、月経周期が不規則な状態になったか否かの診断を行う。以下、各期の診断内容について詳説する。
（１）初期
月経周期が安定したか否かの診断においては、メモ入力機能を用いて入力された、生理メモを用いる。具体的には、当該生理メモに基づいて生理初日を判断し、生理初日と判断された日が、初期期間において、例えば、６周期分以上蓄積された場合に、月経周期が安定したか否かの診断（周期安定化診断処理）を開始する。なお、診断においては、生理初日と判断された日の間隔に基づいて、月経周期を算出し、当該算出された月経周期のばらつきが所定の閾値以下になったと判断された場合に、月経周期が安定したと診断する。
（２）中期
被検者の基礎体温曲線の類型の診断または流産リスクの診断にあたっては、予め、被検者が妊娠中でないかを判定する（妊娠判定処理）。なお、被検者が妊娠中か否かは、入力された生理メモと性交メモならびに基礎体温データに基づいて判定する。
【００３５】
具体的には、前回生理メモに基づいて予測された次回生理予測日から所定日数以上が経過しており、かつ、高体温期が続いており、かつ、性交メモが入力されていた場合に、妊娠中であると判定する。妊娠中であると判定された場合には、流産リスクの診断機能を有効にする。一方、それ以外の場合には妊娠中でないと判定し、基礎体温曲線の類型の診断機能を有効にする。
【００３６】
被検者の基礎体温曲線の類型の診断においては、月経周期が安定したと診断されて以降または中期期間内に測定された基礎体温データを用いる。具体的には、各月経周期ごとに、生理初日からの経過日数に対応する基礎体温データを抽出し、同一経過日数における各月経周期の基礎体温データの平均値を算出することで、生理初日からの経過日数に対する基礎体温データの平均的な変化（被検者の平均的な基礎体温曲線）を算出する。そして、一般的な７つの類型と対比し、各類型との類似度を求めることで、被検者の平均的な基礎体温曲線が、いずれの類型に属するかを診断する（類型診断処理）。
【００３７】
一方、流産リスクの診断においては、基礎体温データを用いる。具体的には、急激な基礎体温の低下があった場合に、流産リスクが高いと診断する（流産リスク診断処理）。
（３）後期
月経周期の不規則性の診断においては、メモ入力機能を用いて入力された、生理メモを用いる。具体的には、当該生理メモに基づいて生理初日を判断し、生理初日と判断された日が、後期期間内において、例えば、６周期分以上蓄積された場合に、月経周期の不規則性の診断を開始する。なお、診断においては、生理初日と判断された日の間隔に基づいて、月経周期を算出し、当該算出された月経周期のばらつきが所定の閾値以上になったと判断され、かつ、当該算出された月経周期が、中期において算出された月経周期よりも長くなったと判定された場合に、月経周期が不規則になったと診断する（不規則性判定処理）。当該診断により、被検者は閉経が近いことを認識することができる。
【００３８】
５．被検者の特性に関する診断処理の流れ
次に、女性体温計１００における、被検者の特性に関する診断処理の流れについて説明する。図５は、被検者の特性の診断処理の流れを示す図である。なお、診断処理の実行に際しては、予め、被検者の生年月日が入力されているものとする。
【００３９】
表示部１０３において診断機能を選択するためのアイコンが選択されると、図５に示す診断処理が開始される。
【００４０】
ステップＳ５０１では、予め入力された被検者の生年月日と、内蔵された時計機能により認識された現在の年月日とを用いて、被検者の現在の年齢を算出する。
【００４１】
ステップＳ５０２では、ステップＳ５０１において算出された被検者の年齢と、初期／中期／後期を区分する年齢（年齢１、年齢２）とを対比する。ステップＳ５０２において、被検者の年齢が“年齢１”未満（例えば、１９歳未満）であると判定された場合には、初期期間であると判断し、ステップＳ５０３に進み、周期安定化診断処理を行う。
【００４２】
一方、ステップＳ５０２において、被検者の年齢が“年齢１”以上“年齢２”未満（例えば、１９歳以上５５歳未満）であると判定された場合には、中期期間であると判断し、ステップＳ５０４に進み、妊娠判定処理を行う。更に、ステップＳ５０５において、妊娠中であると判定された場合には、ステップＳ５０６において流産リスク診断処理を行い、妊娠中でないと判定された場合には、ステップＳ５０７において類型診断処理を行う。
。更に、ステップＳ５０２において、被検者の年齢が“年齢２”以上（例えば、５５歳以上）であると判定された場合には、後期期間であると判断し、ステップＳ５０８に進み、不規則性診断処理を行う。
【００４３】
６．各診断処理の流れ
（１）周期安定化診断処理の流れ
次に、ステップＳ５０３の周期安定化診断処理の流れについて説明する。図６は、周期安定化処理の流れを示すフローチャートである。
【００４４】
ステップＳ６０１では、基礎体温の測定データが連続して、例えば６周期以上蓄積され、かつ、生理メモが当該周期分蓄積されたか否かを判定する。ステップＳ６０１において、生理メモが連続して６周期以上蓄積されていないと判定された場合には、ステップＳ６０７に進み、診断に必要なデータが蓄積されていない旨のエラーを表示する。
【００４５】
一方、ステップＳ６０１において、基礎体温の測定データが連続して６周期以上蓄積され、かつ、生理メモが当該周期分蓄積されたと判定された場合には、ステップＳ６０２に進み、各月経周期を算出するとともに、それらの平均値（平均周期）を算出する。
【００４６】
ステップＳ６０３では、各月経周期と平均周期との差異（ばらつき）を算出し、ステップＳ６０４では、算出された差異が、所定の閾値以下であるか否かを判定する。ステップＳ６０４において、算出された差異が、所定の閾値以下であると判定され、かつ、閾値以下であると判定された月経周期が連続して所定回数以上続いた場合には、ステップＳ６０５に進み、月経周期が安定したと判定し、その旨を表示部１０３に表示する。
【００４７】
一方、ステップＳ６０４において、算出された差異が、所定の閾値より大きいと判定された場合、あるいは、算出された差異が、所定の閾値以下であると判定されたが、閾値以下であると判定された月経周期が連続して所定回数以上続いていない場合には、ステップＳ６０６に進み、月経周期が安定していないと判定し、その旨を表示部１０３に表示する。
（２）妊娠判定処理の流れ
次に、ステップＳ５０４の妊娠判定処理について説明する。図７（ａ）は、妊娠判定処理の流れを示すフローチャートである。
【００４８】
ステップＳ７０１では、直近の月経周期２周期以内に、性交メモが入力されているか否かを判定する。ステップＳ７０１において、性交メモが入力されていると判定された場合には、ステップＳ７０２に進み、次回生理予測日から所定日数以上経過しているか否かを判定する。
【００４９】
ステップＳ７０２において、次回生理予測日から所定日数以上経過していると判定された場合には、ステップＳ７０３に進み、高温相が継続しているか否かを判定し、継続していると判定された場合には、ステップＳ７０４に進む。ステップＳ７０４では、妊娠していると判定し、妊娠判定処理を終了する。
【００５０】
なお、妊娠していると最初に判定されて以降は、被検者によってリセットされるまで、女性体温計１００では、被検者が妊娠中であると認識しているものとする。
【００５１】
一方、ステップＳ７０１において、直近の月経周期２周期以内に、性交メモが入力されていないと判定された場合、あるいは、ステップＳ７０２において、次回生理日から所定日数以上経過していないと判定された場合には、あるいは、高温相が継続していないと判定された場合には、妊娠していると判定することなく、妊娠判定処理を終了する。
（３）流産リスク診断処理の流れ
次に、ステップＳ５０６の流産リスク診断処理について説明する。図７（ｂ）は、流産リスク診断処理の流れを示すフローチャートである。
【００５２】
ステップＳ７１１では、妊娠判定処理において妊娠していると判定されて以降に測定された基礎体温データを取得する。ステップＳ７１２では、ステップＳ７１１において取得した基礎体温データの平均値を算出する。
【００５３】
ステップＳ７１３では、直近の基礎体温データの中に、ステップＳ７１２において算出された平均値に対して、所定の閾値以上、低い基礎体温データがあるか否かを判定する。ステップＳ７１３において、低い基礎体温データがあると判定された場合には、ステップＳ７１４に進み、流産リスクが高まっていると判定し、その旨を表示部１０３に表示する。
【００５４】
一方、ステップＳ７１３において、低い基礎体温データがないと判定された場合には、ステップＳ７１５に進み、流産リスクが低いと判定し、その旨を表示部１０３に表示する。
【００５５】
なお、上記説明によれば、流産リスク診断処理は、診断機能を選択するためのアイコンが選択された場合にのみ、診断結果が表示部１０３に表示される構成となっているが、本発明はこれに限定されない。例えば、診断機能を選択するためのアイコンが選択され、妊娠判定処理が実行された結果、妊娠していると判定されて以降は、基礎体温の測定ごとに流産リスク診断処理を自動的に実行し、その結果を、基礎体温データとともに表示するように構成してもよい。
（４）類型診断処理の流れ
次に、ステップＳ５０６の類型判定処理について説明する。図８は、類型判定処理の流れを示すフローチャートである。
【００５６】
ステップＳ８０１では、蓄積された基礎体温データのうち、月経周期が安定したと診断されて以降または中期期間内において測定された基礎体温データであって、かつ、妊娠判定処理において妊娠していると判定されている期間内に測定された基礎体温データ以外の基礎体温データを、所定の月経周期数分読み出す。
【００５７】
ステップＳ８０２では、ステップＳ８０１において読み出された基礎体温データを、各月経周期ごとに分類したのち、各月経周期の生理初日からの経過日数ごとの基礎体温データを抽出し、それぞれ、経過日数ごとに基礎体温データの平均値を算出する。
【００５８】
ステップＳ８０３では、ステップＳ８０２において算出された平均値を用いて、経過日数に対する基礎体温データの近似曲線を算出する。
【００５９】
ステップＳ８０４では、ステップＳ８０３において算出された近似曲線と、予め定義された７つの類型の基礎体温曲線とをそれぞれ対比し、それぞれの類型の基礎体温曲線との類似度を算出する。なお、図９は、基礎体温曲線の７つの類型を示した図である。
【００６０】
ステップＳ８０５では、ステップＳ８０４において、算出された類似度のうち、最も高い類似度の類型を診断する。更に、診断結果として、当該類型を示す基礎体温曲線（図９の（ａ）〜（ｇ）のいずれか）を表示部１０３に表示する。
（５）不規則性診断処理の流れ
次に、ステップＳ５０８の不規則性診断処理の流れについて説明する。図１０は、不規則性診断処理の流れを示すフローチャートである。
【００６１】
ステップＳ１００１では、後期期間内に測定された基礎体温の測定データが連続して、例えば６周期以上蓄積され、かつ、生理メモが当該周期分蓄積されたか否かを判定する。ステップＳ１００１において、生理メモが連続して６周期以上蓄積されていないと判定された場合には、ステップＳ１００８に進み、診断に必要なデータが蓄積されていない旨のエラーを表示する。
【００６２】
一方、ステップＳ１００１において、基礎体温の測定データが連続して６周期以上蓄積され、かつ、生理メモが当該周期分蓄積されたと判定された場合には、ステップＳ１００２に進み、各月経周期を算出するとともに、それらの平均値（平均周期）を算出する。
【００６３】
ステップＳ１００３では、各月経周期と平均周期との差異を算出し、ステップＳ１００４では、算出された差異が、所定の閾値以上であるか否かを判定する。ステップＳ１００４において、算出された差異が、所定の閾値以上であると判定され、かつ、閾値以上であると判定された月経周期が連続して所定回数以上続いた場合には、ステップＳ１００５に進み、直近の月経周期内において発熱メモ、生理痛メモまたは不正出血メモがないかを判定する。ステップＳ１００５においてこれらのメモ内容が入力されていなければ、ステップＳ１００６に進み、月経周期が不規則になったと診断し、その旨を表示部１０３に表示する。
【００６４】
一方、ステップＳ１００４において、算出された差異が、所定の閾値より小さいと判定された場合、あるいは、算出された差異が、所定の閾値以上であると判定されたが、閾値以上であると判定された月経周期が連続して所定回数以上続いていない場合、あるいは直近の月経周期内において発熱メモ、生理痛メモ、不正出血メモが入力されていた場合には、ステップＳ１００７に進み、月経周期が安定していると判定し、その旨を表示部１０３に表示する。
【００６５】
以上の説明から明らかなように、本実施形態に係る女性体温計１００では、従来の予測機能に加え、長期間にわたって蓄積されたデータを用いて、被検者の生殖器活動の特性を診断する機能（周期安定化診断処理、流産リスク診断処理、類型診断処理、不規則性診断処理）を付加する構成とした。
【００６６】
更に、各診断機能を実行するにあたっては、被検者の年齢に応じて異なる診断機能を実行させる構成とするとともに、各診断機能において、診断すべき特性に対応した基礎体温データ、メモ内容を抽出する構成とした。
【００６７】
これにより、被検者は、長期的な観点から得られる自身の生殖器活動の特性を、適切なタイミングで知ることが可能となる。
【００６８】
［その他の実施形態］
上記第１の実施形態では、直近の所定月経周期分のメモ内容（性交メモ、生理メモ）に基づいて妊娠しているか否かを判定する構成としたが、本発明はこれに限定されない。例えば、妊娠中であること示すメモ内容を表示部１０３に配し、当該メモ内容を被検者が直接入力できるように構成しておき、当該メモ内容の入力有無に応じて、妊娠しているか否かを判定するようにしてもよい。
【符号の説明】
【００６９】
１００・・・女性体温計、１０１・・・本体ケース、１０２・・・金属キャップ、１０３・・・表示部、１０４・・・入力ボタン、１１１・・・左ボタン、１１２・・・右ボタン、１２１・・・上ボタン、１２２・・・下ボタン、１３０・・・決定ボタン
【図１】
2012125349.tif 000003
【図２】
2012125349.tif 000004
【図３】
2012125349.tif 000005
【図４】
2012125349.tif 000006
【図５】
2012125349.tif 000007
【図６】
2012125349.tif 000008
【図７】
2012125349.tif 000009
【図８】
2012125349.tif 000010
【図９】
2012125349.tif 000011
【図１０】
2012125349.tif 000012